(57)【要約】【課題】精度良く安定して組み立てられかつ、精度の良い分流比率を達成する空気調和機の冷媒分流器を提供する。【解決手段】円柱状のブロック体３と、前記ブロック体３を外周から覆いかつ入口管６が接続される入口部４をもつ円柱状の筒体５から構成され、前記ブロック体３は、冷媒を分流する仕切り部３ａと、前記仕切り部３ａで分けられると共に出口管７を有する出口部２を備え、前記筒体５の内部に、前記仕切り部３ａが嵌合する複数の溝部９を設け、前記ブロック体３と前記筒体５の組み立て時に前記仕切り部３ａが前記溝部９と嵌合させることにより、両部品が所定の角度で精度よく組み立てられ、それにより安定した分流性能が得られる。【選択図】図１ 
2005134007.tif 000002
【特許請求の範囲】
【請求項１】
円柱状のブロック体と、前記ブロック体を外周から覆いかつ入口管が接続される入口部をもつ円柱状の筒体から構成され、前記ブロック体は、冷媒を分流する仕切り部と、前記仕切り部で互いに分けられるとともに出口管を有する出口部を備え、前記筒体の内部に、前記仕切り部が嵌合する複数の溝部を設けたことを特徴する冷媒分流器。
【請求項２】
円柱状のブロック体と、前記ブロック体を外周から覆いかつ入口管が接続される入口部をもつ円柱状の筒体から構成され、前記ブロック体は、冷媒を分流する仕切り部と、前記仕切り部で互いに分けられるとともに出口管を有する出口部を備え、前記仕切り部の一端に段差部を設け、前記仕切り部の他端が嵌合する溝を前記筒体の内部に設けたことを特徴する冷媒分流器。
【請求項３】
筒体あるいはブロック体の表面に、仕切り部の周方向での向きを判定するための目印を設けたことを特徴とする請求項１又は２記載の冷媒分流器。
【請求項４】
入口管の端部に嵌合部を設け、前記嵌合部を仕切り部に嵌合させて、前記仕切り部の周方向における位置規制を行なうようにした請求項１〜３のいずれか１項記載の冷媒分流器。
【発明の詳細な説明】
【技術分野】
【０００１】
本発明は、２つ以上の部品から構成される空気調和機の冷媒分流器に関するものである。
【背景技術】
【０００２】
現在、空気調和機用の冷媒分流器は、気液二相冷媒を均等あるいは所定の分流比に分流するため、冷媒の流動特性に合わせてさまざまな手法が考案されており、分岐空間内の形状や、流入、流出管の形状や挿入角度を調整することにより、設計思想にかなった分流比に調整できることが知られている。
【０００３】
近年、代替冷媒化、細管化による多パス化が進み、分流器の形状も複雑化してきている。そのため一体成形品よりも２つ以上の部品から構成される形態のものが増加しており、部品同士の組立性についても精度が要求されるようになってきた。よって、如何にバラツキを少なくし設計通りに製造するかが、分流性能の安定性に重要なポイントとなっている。
【０００４】
２つ以上の部品からなる従来の冷媒分流器として、複数の入口を有する入口部と、複数の出口を有する出口部をもつ合流分流器があり、それは、筒形状の外パイプと、外パイプの軸方向の両端に枝管接続部材が内側に挿入されるもので、３つの部品から構成されている。なお、両側の枝管接続部材の分流器内部側端面には円錐形状の突起部が形成されており、この突起部により冷媒流れを滑らかにして分流している。そして、外パイプと枝管接続部材とは、外部から冶具等により所定の角度に固定させて外パイプの端部の外周をカシメることによって接合させ組み立てられるようになっている（例えば、特許文献１参照）。
【特許文献１】ＷＯ９９／６３２８５（第２の実施例、図２−Ａ〜図２−Ｄ）
【発明の開示】
【発明が解決しようとする課題】
【０００５】
しかしながら、前記従来の構成では、外部から冶具等により所定の角度に固定させて組み立てしているため、製造工程が大掛かりになってしまうばかりでなく、周方向での位置がバラツく要因を含んでいるため、それを補うために固定冶具がより複雑化してしまうという課題を有していた。また部材の材質が硬いもの（例えば真鍮）であれば、このカシメという固定手法はより困難となってくる。
【０００６】
本発明は、前記従来の課題を解決するもので、２つ以上の部品からなる冷媒分流器において、精度良く安定して製造することができかつ、所定の分流比率を達成して冷凍サイクルの性能向上を図るための冷媒分流器を提供することを目的とする。
【課題を解決するための手段】
【０００７】
前記従来の課題を解決するために、本発明の空気調和機の冷媒分流器は、円柱状のブロック体と、前記ブロック体を外周から覆いかつ入口管が接続される入口部をもつ円柱状の筒体から構成され、前記ブロック体は、冷媒を分流する仕切り部と、前記仕切り部で互いに分けられるとともに出口管を有する出口部を備え、前記筒体の内部に、前記仕切り部が嵌合する複数の溝部を設けたもので、前記ブロック体と前記筒体の組み立て時に前記仕切り部が前記複数の溝部と嵌合することにより、両部品が所定の角度に固定されるので、大掛かりな外部からの固定手段を必要とせず安定して製造することができ、所定の分流比率も安定して得られ、さらに仕切り部が冷媒分流手段と嵌合手段とを兼ねているため、加工
を簡略化することができる。
【０００８】
また、本発明の空気調和機の冷媒分流器は、円柱状のブロック体と、前記ブロック体を外周から覆いかつ入口管が接続される入口部をもつ円柱状の筒体から構成され、前記ブロック体は、冷媒を分流する仕切り部と、前記仕切り部で互いに分けられるとともに出口管を有する出口部を備え、前記仕切り部の一端に段差部を設け、前記仕切り部の他端が嵌合する溝を前記筒体の内部に設けたもので、前記ブロック体と前記筒体の組立時に、決められた方向でかつ所定の角度に固定されて組み立てが出来るようになり、組立作業者の前記ブロック体の挿入時の周方向での向きを間違えるポカミスを防止することができる。
【発明の効果】
【０００９】
本発明の冷媒分流器は、組立が容易で安定して製造できかつ、冷媒の分流性能に優れ、冷凍サイクルの性能向上を図る事ができる。
【発明を実施するための最良の形態】
【００１０】
第１の発明は、円柱状のブロック体と、前記ブロック体を外周から覆いかつ入口管が接続される入口部をもつ円柱状の筒体から構成され、前記ブロック体は、冷媒を分流する仕切り部と、前記仕切り部で互いに分けられるとともに出口管を有する出口部を備え、前記筒体の内部に、前記仕切り部が嵌合する複数の溝部を設けたもので、前記ブロック体と前記筒体の組み立て時に前記仕切り部が前記複数の溝部と嵌合することにより、両部品が所定の角度に固定されるので、大掛かりな外部からの固定手段を必要とせず安定して製造することができ、所定の分流比も安定して得られ、さらに仕切り部が冷媒分流手段と嵌合手段とを兼ねているため、加工を簡略化することができる。
【００１１】
第２の発明は、円柱状のブロック体と、前記ブロック体を外周から覆いかつ入口管が接続される入口部をもつ円柱状の筒体から構成され、前記ブロック体は、冷媒を分流する仕切り部と、前記仕切り部で互いに分けられるとともに出口管を有する出口部を備え、前記仕切り部の一端に段差部を設け、前記仕切り部の他端が嵌合する溝を前記筒体の内部に設けたもので、前記ブロック体と前記筒体の組立時に、決められた方向でかつ所定の角度に固定されて組み立てが出来るようになり、組立作業者の前記ブロック体の挿入時の周方向での向きを間違えるポカミスを防止することができる。
【００１２】
第３の発明は、特に、第１または第２の発明の筒体あるいはブロック体の表面に、仕切り部の周方向での向きを判定するための目印を設けたもので、前記ブロック体と前記筒体の組立時に作業者が仕切り部の周方向でのハメコミ位置が即座に分かるため、作業性の向上が図れる。
【００１３】
第４の発明は、特に、第１〜３のいずれかひとつの発明の入口管の端部に嵌合部を設け、前記嵌合部を仕切り部に嵌合させて、前記仕切り部の周方向における位置規制を行なうようにしたもので、前記入口管の周方向での取り付け位置が精度よく決まり組み立てが出来るため、安定して製造することができる。
【００１４】
以下、本発明の実施の形態について、図面を参照しながら説明する。なお、この実施の形態によって本発明が限定されるものではない。
【００１５】
（実施の形態１）
図１（ａ）は、本発明の第１の実施の形態における空気調和機の冷媒分流器の分解斜視図を示し、（ｂ）に同冷媒分流器の筒体５のＡ−Ａ断面図を示す。
【００１６】
図１において、冷媒分流器１は、冷媒を分流する仕切り部３ａと仕切り部３ａで互いに
分けられた出口部２を持つ円柱状のブロック体３と、前記ブロック体３を外周から覆いかつ入口部４をもつ円柱状の筒体５との２つの筐体から構成され、前記出口部２に出口管７および前記入口部４に入口管６がそれぞれ接続されている。
【００１７】
筒体５の内部には、図１に示されるように２つの溝部８が設けられ、筒体５にブロック体３を挿入した時に仕切り部３ａを溝部８に嵌合させる構成になっている。
【００１８】
以上のように構成された冷媒分流器１について、以下にその作用を説明する。
【００１９】
入口管６から流入してくる冷媒は、入口部４を通り筒体５とブロック体３とで内部に形成される分岐空間に流入してくる。その分岐空間には所定の位置あるいは角度に仕切り部３ａが配置され、冷媒を均等あるいは所定の分流比に分流する役目を果たしている。そして仕切り部３ａで互いに分けられた出口部２に冷媒が分流され、出口管７を通って流出する。
【００２０】
ここで、冷媒の分流比を精度よく安定させるためには、仕切り部３ａを設計通りに配置させることが重要であり、周方向において精度良く組み立てることがポイントとなる訳だが、本実施の形態のように、仕切り部３ａが筒体５の内部に設けた２つの溝部８と嵌合させるようにしているため、ブロック体３と筒体５の２つの部品の組立時に回転方向に対して仕切り部３ａを所定の位置に精度よく固定できるので、安定した製造ができる。
【００２１】
もちろん仕切り部３ａとは別のものを溝部８に嵌合させるような形状を設けても目的はかなうが、その場合形状が複雑になり加工が数工程増えてしまうため加工費が余分にかかる。しかし本実施の形態によれば、仕切り部３ａで冷媒分流手段と嵌合手段を兼ねているので、相対的に加工費を安価にできるものである。
【００２２】
以上のように、本実施の形態においては、仕切り部３ａとそれと嵌合させる溝部８を備えたことにより、２つの部品の組立時に周方向において安定して位置決めができるようになり、安定した分流性能が得られ、冷凍サイクルの性能向上を図ることができる。
【００２３】
（実施の形態２）
図２（ａ）は、本発明の第２の実施の形態における冷媒分流器１の分解斜視図を示し、（ｂ）に同冷媒分流器１の筒体５のＢ−Ｂ断面図を示す。なお上記実施の形態と同一部分については同一符号を付してその説明は省略する。
【００２４】
図２に示すように、本実施の形態では、筒体５の内部に１つの溝部９を設け、さらに、一端に段差部１０を設けた仕切り部３ａの他端が溝部９と嵌合するという構成になっている。さらに筒体５の表面で、かつ溝部９の裏側に星印等の目印１１が表示されている。
【００２５】
以上のように構成された冷媒分流器１の作用を以下に説明する。
【００２６】
仕切り部３ａに段差部１０を設け、筒体５の溝部９を１箇所だけ設けることにより、仕切り部３ａと溝部９とは一方向からしか嵌合ができない形状となる。よって、仕切り部３ａが中央に位置しているような対称形状のブロック体３において出口部２の径がそれぞれ違うような場合でも、所定の方向にしかブロック体３を挿入することができないため、ブロック体３と筒体５の２つの部品を組み立てる際、両部品の周方向での位置がずれるといったミスを物理的に防止することができる。
【００２７】
さらに、筒体５の表面で、溝部９と同じ方向に目印１１を付けているため、２つの部品の組立時に作業者が周方向においてのハメコミ位置が即座に分かるため、作業性の向上が
図れる。なお、この目印１１はブロック体３側に付けても同じ効果が得られることは，言うまでも無い。
【００２８】
以上のように、本実施の形態によれば、仕切り部３ａの片側に段差部１０を設け、その反対側と嵌合させるひとつの溝部９を設け、さらに溝部９と同じ方向に目印１１を付けることにより、２つの部品の組立時に決められた方向でかつ所定の角度に固定されて組み立てが出来るようになり、ブロック体３の挿入時に，組立作業者が周方向で位置ずれしたまま組み立てるといったポカミスを確実に防止することができる。
【００２９】
さらに作業者が周方向でのハメコミ位置が即座に分かるようになり、作業性を向上させることができる。
【００３０】
（実施の形態３）
図３（ａ）は、本発明の第３の実施の形態における冷媒分流器１の分解斜視図を示し、（ｂ）に同冷媒分流器１の入口管６のＣ−Ｃ拡大矢視図を示す。なお上記実施の形態と同一部分については同一符号を付してその説明は省略する。
【００３１】
図３（ａ）において、入口管６の端部に図３（ｂ）に示すように嵌合部として２つの凹部１２を設け、入口管６を入口部４に挿入した時に、前記凹部１２が仕切り部３ａと嵌合するようにしたものである。
【００３２】
以上のように構成された冷媒分流器１について、以下にその作用を説明する。
【００３３】
気液２相流の冷媒を分流する場合、入口管６の挿入方向についても冷媒の分流特性に影響を及ぼすこととなるため、入口管６の組立時においても挿入角度を精度よく固定する必要があるが、上記構成のように入口管６の端部に凹部１２を設け、入口管６の組立時に仕切り部３ａと凹部１２が嵌合されるようになっているので、入口管６の挿入角度が精度よく固定することができ、安定して組み立てられる。
【００３４】
以上のように、本実施の形態においては、入口管６の端部に２つの凹部１２を持ち、入口管６の挿入時に仕切り部３ａと嵌合するという構成にすることにより、入口管６の挿入角度が固定し、安定して組み立てるられるため、分流性能がより安定して、より精度良い冷媒分流器を提供することができる。
【産業上の利用可能性】
【００３５】
以上のように本発明にかかる空気調和機の冷媒分流器は、組立が容易で安定して製造できかつ分流性能に優れ、冷凍サイクルの性能向上を図る事ができるので、各種空調機器，冷凍機器，冷蔵機器に広く適用する事ができるものである。
【図面の簡単な説明】
【００３６】
【図１】（ａ）本発明の実施の形態１における冷媒分流器の分解斜視図、（ｂ）（図１）（ａ）のＡ−Ａ断面図
【図２】(ａ）本発明の実施の形態２における冷媒分流器の分解斜視図、（ｂ）（図２）（ａ）のＢ−Ｂ断面図
【図３】(ａ）本発明の実施の形態３における冷媒分流器の分解斜視図、（ｂ）（図２）（ａ）のＣ−Ｃ矢視図
【符号の説明】
【００３７】
１    冷媒分流器
２    出口部
３    ブロック体
３ａ  仕切り部
４    入口部
５    筒体
６    入口管
７    出口管
８、９  溝部
１０    段差部
１１    目印
１２    凹部（嵌合部）
【図１】
2005134007.tif 000003
【図２】
2005134007.tif 000004
【図３】
2005134007.tif 000005